(57)【要約】【課題】オーディオ再生装置において、スピーカの自動測定の所要時間を短縮する。【解決手段】予め設定された時間を経過して予め設定された音量レベル以上のオーディオ信号入力がないとき電源をオフし、電源オフの状態で予め設定された音量レベル以上のオーディオ信号入力があると電源をオンにする増幅器を備えたスピーカを含む複数のスピーカにオーディオ信号を出力するオーディオ再生装置において、各スピーカの遅延時間を補正するための測定信号を出力する測定信号出力手段と、各スピーカに測定信号が入力されたときスピーカ出力音を集音するマイクロホンと、マイクロホンが集音したオーディオ信号を用いて遅延時間を測定する測定手段と、測定の開始操作がされた場合、最初に測定を行うスピーカと増幅器を備えたスピーカに測定用信号を出力し最初に測定するスピーカの測定を行い増幅器を備えたスピーカの測定を２番目以降に行う制御手段とを備える。【選択図】      図１
2006101178.tif 000002
【特許請求の範囲】
【請求項１】
オーディオ信号を増幅し、予め設定された時間を経過して予め設定された音量レベル以上の入力信号レベルが検出されない場合に電源スイッチを切断し、電源スイッチが切断された状態で予め設定された音量レベル以上の入力信号レベルが検出された場合に電源スイッチを入れる機能を備える増幅器を備えたスピーカを含む複数のスピーカにオーディオ信号を出力するオーディオ再生装置において、複数のスピーカの各スピーカにオーディオ信号の遅延時間を補正するための測定用信号を出力する測定用信号出力手段と、遅延時間を補正するための測定の開始操作をするための操作手段と、複数のスピーカに測定用信号が入力された場合スピーカが出力する音を集音しオーディオ信号に変換するマイクロホンと、前記マイクロホンによって集音されたオーディオ信号を用いてスピーカ毎に前記遅延時間を測定する測定手段と、前記操作手段によって遅延時間を補正するための測定の開始操作がされた場合、前記測定用信号出力手段に、複数のスピーカのうち最初に測定を行うスピーカと増幅器を備えたスピーカとに測定用信号を出力させて最初に測定を行うスピーカの遅延時間の測定を前記測定手段に行わせ、増幅器を備えたスピーカの遅延時間の測定を２番目以降に前記測定手段に行わせる制御手段とを備えることを特徴とするオーディオ再生装置。
【発明の詳細な説明】
【技術分野】
【０００１】
本発明は、オーディオ信号を再生するオーディオ再生装置に関する。
【背景技術】
【０００２】
音場再生、サラウンド再生等に用いられるオーディオ再生装置として、デジタル信号処理回路(ＤＳＰ：Digital Signal Processor)を内蔵し、オーディオ信号を、音場再生、サラウンド再生用にデジタルオーディオ信号処理し、音量を制御して、多系統(多チャンネル)で出力する装置が、ＡＶ(Audio Visual)アンプ、サラウンドアンプ等の名称で知られている。多チャンネルのサラウンド再生は、映画やコンサートなど映像を伴うオーディオ再生を行う場合、臨場感を増すなどその再生効果を高めるために多く用いられる。
【０００３】
このようなオーディオ再生装置は、サラウンド再生用の複数のスピーカにオーディオ信号を出力する。低音を再生するために、オーディオ信号増幅器(アンプ)を内蔵した低音再生用スピーカ(サブウーハ)も使用される。サブウーハに内蔵されたアンプは、予め設定された時間(例えば１５分)を経過して、予め設定された音量レベル以上の入力信号レベルが検出されない場合、自動的に電源スイッチを切断(オフ)するオートパワーオフ機能を備え、また、パワーオフされた状態であって予め設定した音量レベル以上の入力信号レベルが検出された場合、自動的に電源スイッチを入れる(オンする)オートパワーオン機能を備える。オートパワーオフ機能及びオートパワーオン機能は、電力消費の節減のために用いられる。
【０００４】
このようなオーディオ再生装置は、使用者が、聴取位置から各スピーカまでの距離を予め入力し、オーディオ再生装置は入力された距離に基づいて、スピーカ毎のオーディオ信号の遅延時間を設定して再生する。また、オーディオ再生装置によっては、スピーカ毎にオーディオ周波数帯域の測定用信号を入力し、スピーカが出力した測定用信号音を使用者の聴取位置に配置したマイクロホンによって集音し、マイクロホンによって集音された測定用信号音に基づいて聴取位置から各スピーカまでの距離及び遅延時間を計算して、スピーカ毎の遅延時間を自動的に設定する機能を備えた装置がある。
【０００５】
図３は、従来のオーディオ再生装置のスピーカの遅延時間の測定方法の一例を示すフローチャートである。自動測定を開始すると(Ｔ１)、各チャンネルのスピーカの音量レベルを０ｄＢに設定する (Ｔ２)。ここで、測定用信号を出力する時間はスピーカ毎に1.3秒、測定及び計算の処理時間はスピーカ毎に8秒、設定処理時間に30秒を、それぞれ要する。測定用信号を出力する1.3秒間のうち、測定用信号の立ち上がり時に、スピーカによって測定用信号音の出力が不安定な場合を考慮して、測定用信号の出力開始から0.65秒後までは測定せず、測定用信号の出力開始後0.65秒経過したときから1.3秒後までの測定用信号を測定に用いる。
【０００６】
ここでは、８チャンネルのオーディオ信号として、使用者の前方左に配置されるスピーカに入力される前方左(ＦＬ：Front Left)チャンネルのオーディオ信号、使用者の前方右に配置されるスピーカに入力される前方右(ＦＲ：Front Right)チャンネルのオーディオ信号、使用者の前方中央に配置されるスピーカに入力される中央(Ｃ：Center)チャンネルのオーディオ信号、使用者の左に配置されるスピーカに入力されるサラウンド左(ＳＬ：Surround Left)チャンネルのオーディオ信号、使用者の右に配置されるサラウンド右(ＳＲ：Surround Right)チャンネルのオーディオ信号、使用者の後方左に配置されるスピーカに入力されるサラウンド後方左(ＳＢＬ：Surround Back Left)チャンネルのオーディオ信号、使用者の後方右に配置されるサラウンド後方右(ＳＢＲ：Surround Back Right)チャンネルのオーディオ信号、低音再生用のサブウーハ(ＳＷ：Sub Woofer)チャンネルのオーディオ信号を再生する場合について説明する。
【０００７】
ＦＬチャンネルのスピーカの測定用信号の出力(Ｔ３)、ＦＬチャンネルのスピーカの測定用信号音の測定及び計算(Ｔ４)、ＦＲチャンネルのスピーカの測定用信号の出力(Ｔ５)、ＦＲチャンネルのスピーカの測定用信号音の測定及び計算(Ｔ６)、Ｃチャンネルのスピーカの測定用信号の出力(Ｔ７)、Ｃチャンネルのスピーカの測定用信号音の測定及び計算(Ｔ８)を順番に行う。次にＳＷチャンネルのスピーカの測定を行うために、ＳＷチャンネルのスピーカに内蔵するアンプがオートパワーオフされている場合を考慮し、ＳＷチャンネルのスピーカのアンプの電源スイッチを入れるために測定用信号をＳＷチャンネルのスピーカに出力する(Ｔ９)。アンプの電源スイッチが入ってＳＷチャンネルのスピーカから音を出力することができるまでの所要時間(８秒)を計時し待機する(Ｔ１０)。
【０００８】
ＳＷチャンネルのスピーカが音を出力することができるようになった状態で、ＳＷチャンネルのスピーカの測定用信号の出力(Ｔ１１)、ＳＷチャンネルのスピーカの測定用信号音の測定及び計算を行う(Ｔ１２)。次に、ＳＬチャンネルのスピーカの測定用信号の出力(Ｔ１３)、ＳＬチャンネルのスピーカの測定用信号音の測定及び計算(Ｔ１４)、ＳＲチャンネルのスピーカの測定用信号の出力(Ｔ１５)、ＳＲチャンネルのスピーカの測定用信号音の測定及び計算(Ｔ１６)、ＳＢＬチャンネルのスピーカの測定用信号の出力(Ｔ１７)、ＳＢＬチャンネルのスピーカの測定用信号音の測定及び計算(Ｔ１８) 、ＳＢＲチャンネルのスピーカの測定用信号の出力(Ｔ１９)、ＳＢＲチャンネルのスピーカの測定用信号音の測定及び計算(Ｔ２０)を順番に行う。次に、スピーカ毎の測定結果を基に、スピーカ毎の遅延時間を算出して装置内に設定し(Ｔ２１)、終了する(Ｔ２２)。
【０００９】
また、聴取者の位置にセットされたマイクロホンによって測定用信号音を集音し、集音した測定用信号音に基づいて、各スピーカから聴取者の位置への再生音の到達時間を揃えるために、オーディオ信号の遅延時間を補正する遅延時間自動補正装置がある（特許文献１参照）。
【００１０】
【特許文献１】特開平０６−１８０５９１号公報
【発明の開示】
【発明が解決しようとする課題】
【００１１】
従来のオーディオ再生装置において、ＳＷチャンネルのスピーカの遅延時間を測定する場合、ＳＷチャンネルのスピーカが内蔵するアンプの電源スイッチがオフになっている場合を考慮して、電源スイッチをオンにするためのオーディオ信号をＳＷチャンネルのスピーカに入力し、ＳＷチャンネルのスピーカが音を出力できるようになるまでの待ち時間を余分に要していた。このため、測定全体の所要時間が長くなっていた。
また、特許文献１の遅延時間自動補正装置は、アンプ内蔵スピーカの使用については考慮されていなかった。
【課題を解決するための手段】
【００１２】
本発明の請求項１に記載のオーディオ再生装置は、オーディオ信号を増幅し、予め設定された時間を経過して予め設定された音量レベル以上の入力信号レベルが検出されない場合に電源スイッチを切断し、電源スイッチが切断された状態で予め設定された音量レベル以上の入力信号レベルが検出された場合に電源スイッチを入れる機能を備える増幅器を備えたスピーカを含む複数のスピーカにオーディオ信号を出力するオーディオ再生装置において、複数のスピーカの各スピーカにオーディオ信号の遅延時間を補正するための測定用信号を出力する測定用信号出力手段と、遅延時間を補正するための測定の開始操作をするための操作手段と、複数のスピーカに測定用信号が入力された場合スピーカが出力する音を集音しオーディオ信号に変換するマイクロホンと、前記マイクロホンによって集音されたオーディオ信号を用いてスピーカ毎に前記遅延時間を測定する測定手段と、前記操作手段によって遅延時間を補正するための測定の開始操作がされた場合、前記測定用信号出力手段に、複数のスピーカのうち最初に測定を行うスピーカと増幅器を備えたスピーカとに測定用信号を出力させて最初に測定を行うスピーカの遅延時間の測定を前記測定手段に行わせ、増幅器を備えたスピーカの遅延時間の測定を２番目以降に前記測定手段に行わせる制御手段とを備えるものである。
【発明の効果】
【００１３】
本発明のオーディオ再生装置によれば、スピーカの遅延時間の自動測定の所要時間を短縮することができる。
【発明を実施するための最良の形態】
【００１４】
図１は本発明のオーディオ再生装置の一実施例の構成を示すブロック図である。デジタルオーディオ信号入力端子１は、オーディオ信号を出力する外部の装置を接続しデジタルオーディオ信号を入力する。切換回路２は、デジタルオーディオ信号入力端子１から入力されたオーディオ信号の信号線を接続した端子aから端子ｂへの出力のオンとオフとを切り換える。アナログオーディオ信号入力端子３は、オーディオ信号を出力する外部の装置を接続しアナログオーディオ信号を入力する。切換回路４は、アナログオーディオ信号入力端子３から入力されたオーディオ信号の信号線を接続した端子aから端子ｂへの出力のオンとオフとを切り換える。また、切換回路４は、マイクロホン１５から入力されたオーディオ信号の信号線を接続した端子ｃから端子ｄへの出力のオンとオフとを切り換える。
【００１５】
ＡＤ変換器(以下、Ａ／Ｄと言う。)５は、切換回路４から入力されるアナログオーディオ信号をデジタルオーディオ信号に変換する。入力切換回路６は、切換回路２から入力されるデジタルオーディオ信号の信号線を接続した端子ａ、又はＡ／Ｄ５から入力されるデジタルオーディオ信号の信号線を接続した端子ｂから、端子ｃへの出力を切り換える。デジタル信号処理部(Digital Signal Processor、以下、ＤＳＰと言う。)７は、音場再生の信号処理、及びスピーカ毎の遅延時間の自動測定を行う。音場再生の信号処理を行うとき、ＤＳＰ７は、入力切換回路６から入力されるデジタルオーディオ信号をサラウンド再生用のオーディオ信号にする信号処理を行い、ＦＬ、ＳＷ、ＦＲ、Ｃ、ＳＬ、ＳＲ、ＳＢＬ、ＳＢＲの各チャンネルのオーディオ信号として出力する。スピーカ毎の遅延時間の自動測定を行うとき、ＤＳＰ７は、測定用オーディオ信号をスピーカ毎に順次出力する。
【００１６】
切換スイッチ８は、ＤＳＰ７のＦＬチャンネル出力の信号線が接続された端子ａ、又はＳＷチャンネル出力の信号線が接続された端子ｂから、ＳＷスピーカ１３ｂへの出力信号線が接続された端子ｃへの出力を切り換える。オーディオ信号を再生する場合、切換スイッチ８は、ＳＷチャンネル出力の信号線が接続された端子ｂからＳＷスピーカ１３ｂへの出力信号線が接続された端子ｃに切り換え、ＳＷスピーカに内蔵するアンプの電源スイッチをオンにするために測定用信号をＳＷスピーカに出力する場合、切換スイッチ８は、ＤＳＰ８のＦＬチャンネル出力の信号線が接続された端子ａからＳＷスピーカ１３ｂへの出力信号線が接続された端子ｃに切り換える。
【００１７】
ＤＡ変換器(以下、Ｄ／Ａと言う。)９は、ＤＳＰ７から出力されたＦＬ、ＳＷ、ＦＲ、Ｃ、ＳＬ、ＳＲ、ＳＢＬ、ＳＢＲの各チャンネルのデジタルオーディオ信号をアナログオーディオ信号に変換する。ボリウム１０は、Ｄ／Ａ９から出力されたＦＬ、ＳＷ、ＦＲ、Ｃ、ＳＬ、ＳＲ、ＳＢＬ、ＳＢＲの各チャンネルのアナログオーディオ信号の音量をチャンネル毎に設定する。パワーアンプ１１ａ、１１ｂ、１１ｃ、１１ｄ、１１ｅ、１１ｆ、１１ｇ、１１ｈは、ぞれぞれ、ボリウム１０から出力されたＦＬ、ＳＷ、ＦＲ、Ｃ、ＳＬ、ＳＲ、ＳＢＬ、ＳＢＲの各チャンネルのアナログオーディオ信号を増幅する。ミューティング回路１２ａ、１２ｂ、１２ｃ、１２ｄ、１２ｅ、１２ｆ、１２ｇ、１２ｈは、それぞれ、パワーアンプ１１ａ、１１ｂ、１１ｃ、１１ｄ、１１ｅ、１１ｆ、１１ｇ、１１ｈから出力されたＦＬ、ＳＷ、ＦＲ、Ｃ、ＳＬ、ＳＲ、ＳＢＬ、ＳＢＲの各チャンネルのアナログオーディオ信号のミューティングのオンとオフとを切り換える。
【００１８】
スピーカ１３ａ、１３ｃ、１３ｄ、１３ｅ、１３ｆ、１３ｇ、１３ｈは、それぞれ、ミューティング回路１２ａ、１２ｃ、１２ｄ、１２ｅ、１２ｆ、１２ｇ、１２ｈから出力されたアナログオーディオ信号を音として出力する。アンプ内蔵スピーカ１４は、ミューティング回路１２ｂから出力されたアナログオーディオ信号を音として出力する。アンプ内蔵スピーカ１４は、アンプ１４ａとスピーカ１３ｂとを備える。アンプ１４ａは、ミューティング回路１２ｂから出力されたアナログオーディオ信号を増幅する。スピーカ１３ｂは、アンプ１４ａから出力されたアナログオーディオ信号を音として出力する。
【００１９】
マイクロホン１５は、使用者の聴取位置に設置され、各チャンネルのスピーカの遅延時間の自動測定を行う場合、各チャンネルのスピーカが出力する測定用信号音を集音し、アナログオーディオ信号に変換する。マイクロホン１５を使用して各チャンネルのスピーカの遅延時間の自動測定を行う場合、切換回路４の、マイクロホン１５からアナログオーディオ信号を入力する信号線が接続された端子ｃからＡ／Ｄ５への信号線が接続された端子ｄへの出力がオンにされる。ＤＳＰ７は、マイクロホン１５から、切換回路４、Ａ／Ｄ５、入力切換回路６を介して入力されたデジタルオーディオ信号を用いて、スピーカ毎の遅延時間を計算し設定する。マイクロコンピュータ(マイコン)１６は、切換回路２、切換回路４、入力切換回路６、ＤＳＰ７、切換スイッチ８、Ｄ／Ａ９、ボリウム１０、ミューティング回路１２ａ、１２ｂ、１２ｃ、１２ｄ、１２ｅ、１２ｆ、１２ｇ、１２ｈを制御する。操作部１７は、遅延時間の自動測定を開始する操作ボタンを備え、マイコン１６に指示信号を入力する。
【００２０】
図２は、本発明のオーディオ再生装置の一実施例のスピーカの遅延時間の測定方法を示すフローチャートである。自動測定を開始すると(Ｓ１)、マイコン１６は、ボリウム１０を制御して、ＦＬ、ＦＲ、Ｃ、ＳＬ、ＳＲ、ＳＢＬ、ＳＢＲ各チャンネルのスピーカ１３ａ、１３ｃ、１３ｄ、１３ｅ、１３ｆ、１３ｇ、１３ｈの音量レベルを０ｄＢに設定し、ＳＷチャンネルのアンプ内蔵スピーカ１４の音量レベルを−４０ｄＢに設定する。また、マイコン１６は、切換スイッチ８を制御して、ＤＳＰ７のＦＬチャンネル出力の信号線が接続された端子ａとＳＷスピーカ１３ｂへの出力信号線が接続された端子ｃを接続するように切り換える (Ｓ２)。
【００２１】
ここで、測定用信号を出力する時間はスピーカ毎に1.3秒、測定及び計算の処理時間はスピーカ毎に8秒、設定処理時間は30秒を、それぞれ要する。測定用信号を出力する1.3秒間のうち、測定用信号の立ち上がり時に、スピーカによって測定用信号音の出力が不安定な場合を考慮して、測定用信号の出力開始から0.65秒後までは測定せず、測定用信号の出力開始後0.65秒経過したときから1.3秒後までの測定用信号を測定に用いる。
【００２２】
マイコン１６は、ＤＳＰ７を制御して、ＦＬチャンネルのスピーカ１３ａの測定用信号の出力を行う(Ｓ３)と同時にＳＷチャンネルのアンプ内蔵スピーカ１４にも測定用信号をアンプ１４ａの起動用信号として出力する (Ｓ４)。マイコン１６は、ミューティング回路１２ｂを制御して、起動用信号として出力した測定用信号を0.2秒後にミューティングする(Ｓ５)。ＦＬチャンネルのスピーカ１３ａの測定は、測定用信号を出力する1.3秒間のうち、前半0.65秒は測定対象外であり、ＳＷチャンネルのアンプ内蔵スピーカ１４に起動用信号として入力する測定用信号の音量レベルはボリウム１０にて予め−４０ｄＢに設定されているので、ＳＷチャンネルのアンプ内蔵スピーカ１４の起動用信号として用いる測定用信号はＦＬチャンネルのスピーカ１３ａの測定に影響しない。このようにして、ＳＷチャンネルのアンプ内蔵スピーカ１４に起動用信号を出力し、アンプ１４ａの電源スイッチをオンにする。
【００２３】
Ｓ５のミューティング処理から0.2秒後、マイコン１６は、切換スイッチ８を制御して、ＤＳＰ７のＳＷチャンネル出力の信号線が接続された端子ｂからＳＷスピーカ１３ｂへの出力信号線が接続された端子ｃに接続するように切り換える。また、マイコン１６は、ボリウム１０を制御して、ＳＷチャンネルのアンプ内蔵スピーカ１４の音量レベルを０ｄＢに設定する(Ｓ６)。
【００２４】
以下、ＦＬチャンネルのスピーカ１３ａの測定用信号音の測定及び計算(Ｓ７)、ＦＲチャンネルのスピーカ１３ｃの測定用信号の出力(Ｓ８)、ＦＲチャンネル１３ｃのスピーカの測定用信号音の測定及び計算(Ｓ９)、Ｃチャンネルのスピーカ１３ｄの測定用信号の出力(Ｓ１０)、Ｃチャンネルのスピーカ１３ｄの測定用信号音の測定及び計算(Ｓ１１)、ＳＷチャンネルのスピーカ１４の測定用信号の出力(Ｓ１２)、ＳＷチャンネルのスピーカ１４の測定用信号音の測定及び計算(Ｓ１３)、ＳＬチャンネルのスピーカ１３ｅの測定用信号の出力(Ｓ１４)、ＳＬチャンネルのスピーカ１３ｅの測定用信号音の測定及び計算(Ｓ１５)、ＳＲチャンネルのスピーカ１３ｆの測定用信号の出力(Ｓ１６)、ＳＲチャンネルのスピーカ１３ｆの測定用信号音の測定及び計算(Ｓ１７)、ＳＢＬチャンネルのスピーカ１3ｇの測定用信号の出力(Ｓ１８)、ＳＢＲチャンネルのスピーカ１３ｇの測定用信号音の測定及び計算(Ｓ１９) 、ＳＢＬチャンネルのスピーカ１３ｈの測定用信号の出力(Ｓ２０)、ＳＢＬチャンネルのスピーカ１３ｈの測定用信号音の測定及び計算(Ｓ２１)を順番に行う。次に、ＤＳＰ７は、スピーカ毎の測定結果を基に、スピーカ毎の遅延時間を算出してＤＳＰ７内に設定し(Ｓ２２)、終了する(Ｓ２３)。
【００２５】
図３に示した従来の測定方法による所要時間113.7秒に対して、本実施例の図２に示した測定方法による所要時間は104.4秒となり、所要時間を9.3秒短縮することができる。
【図面の簡単な説明】
【００２６】
【図１】本発明のオーディオ再生装置の一実施例の構成を示すブロック図である。
【図２】本発明のオーディオ再生装置の一実施例のスピーカの遅延時間の測定方法を示すフローチャートである。
【図３】従来のオーディオ再生装置のスピーカの遅延時間の測定方法の一例を示すフローチャートである。
【符号の説明】
【００２７】
１  デジタルオーディオ信号入力端子
２  切換回路
３  アナログオーディオ信号入力端子
４  切換回路
５  ＡＤ変換器（Ａ／Ｄ）
６  入力切換回路
７  ＤＳＰ
８  切換スイッチ
９  ＤＡ変換器（Ｄ／Ａ）
１０  ボリウム
１１ａ、１１ｂ、１１ｃ、１１ｄ、１１ｅ、１１ｆ、１１ｇ、１１ｈ  パワーアンプ
１２ａ、１２ｂ、１２ｃ、１２ｄ、１２ｅ、１２ｆ、１２ｇ、１２ｈ  ミューティング回路
１３ａ、１３ｂ、１３ｃ、１３ｄ、１３ｅ、１３ｆ、１３ｇ、１３ｈ  スピーカ
１４  アンプ内蔵スピーカ
１４ａ  アンプ
１５  マイクロホン
１６  マイコン
１７  操作部
【図１】
2006101178.tif 000003
【図２】
2006101178.tif 000004
【図３】
2006101178.tif 000005